(57)【要約】【課題】  機体側部に苗供給コンベアを備える乗用移植機において、苗供給コンベアを変位自在にして、乗降部を開放させるにあたり、苗供給コンベアの支持構造を簡略化すると共に、狭い場所でも苗供給コンベアの開放操作を可能にする。【解決手段】  走行機体２の側部に、側面視で機体前部から機体後部に亘って苗供給コンベア１９を設けるにあたり、苗供給コンベア１９を、走行機体２における乗降ステップ部１３の近傍位置で分割可能に構成すると共に、分割された前側分割コンベア１９Ａ及び／又は後側分割コンベア１９Ｂを、他方の分割コンベア１９Ａ、１９Ｂに対して離間方向に変位自在とする。【選択図】        図２
2005073516.tif 000002
【特許請求の範囲】
【請求項１】
走行機体の後部に、左右並列状に苗を載置し、これらの苗を分離して圃場に植え付ける乗用移植機において、前記走行機体の側部に、側面視で機体前部から機体後部に亘って苗供給コンベアを設けるにあたり、前記苗供給コンベアを、前記走行機体の乗降ステップ近傍位置で分割可能に構成すると共に、分割された前側分割コンベア及び／又は後側分割コンベアを、他方の分割コンベアに対して離間方向に変位自在としたことを特徴とする乗用移植機。
【請求項２】
前記前側分割コンベア及び前記後側分割コンベアを、互いに離間する方向に回動自在としたことを特徴とする請求項１記載の乗用移植機。
【発明の詳細な説明】
【技術分野】
【０００１】
本発明は、苗供給コンベアを備える乗用田植機などの乗用移植機に関する。
【背景技術】
【０００２】
走行機体の側部に、側面視で機体前部から機体後部に亘って苗供給コンベアを備える乗用移植機が知られている（例えば、特許文献１参照。）。この種の乗用移植機では、畔から走行機体に予備苗を補給する際、走行機体を畔に横付けすることなく、走行機体の前部を畔に接近させるだけで、畔から走行機体への苗補給を容易に行うことが可能になる。
【特許文献１】特開平６−２７６８２１号公報
【発明の開示】
【発明が解決しようとする課題】
【０００３】
しかしながら、前記苗供給コンベアは、通常、走行機体の乗降口を遮るように設けられるため、走行機体の乗降性が低下するという問題がある。そこで、苗供給コンベアを変位自在にして、乗降部を開放させることが考えられるが、特許文献１に示される苗供給コンベアは、前側が折畳み自在に構成されるものの、乗降部を遮る部分は一体的に構成されているため、これを変位自在とした場合、コンベア全体を動かすことになって、その支持構造が大掛かりになるだけでなく、開放のために広いスペースが必要になるという問題がある。
【課題を解決するための手段】
【０００４】
本発明は、上記の如き実情に鑑みこれらの課題を解決することを目的として創作されたものであって、走行機体の後部に、左右並列状に苗を載置し、これらの苗を分離して圃場に植え付ける乗用移植機において、前記走行機体の側部に、側面視で機体前部から機体後部に亘って苗供給コンベアを設けるにあたり、前記苗供給コンベアを、前記走行機体の乗降ステップ近傍位置で分割可能に構成すると共に、分割された前側分割コンベア及び／又は後側分割コンベアを、他方の分割コンベアに対して離間方向に変位自在としたことを特徴とする。
また、前記前側分割コンベア及び前記後側分割コンベアを、互いに離間する方向に回動自在としたことを特徴とする。
【発明の効果】
【０００５】
請求項１の発明によれば、走行機体の乗降ステップ近傍位置で分割された前側分割コンベア及び／又は後側分割コンベアを、他方の分割コンベアに対して離間方向に変位させることにより、走行機体の乗降部を開放させることが可能になる。これにより、コンベア全体を変位させる場合に比べ、コンベアの支持構造が簡略化されるだけでなく、開放時におけるコンベアの変位量が小さくなり、狭い場所でもコンベアの開放操作が可能になる。
また、請求項２の発明によれば、前側分割コンベア及び後側分割コンベアの回動により、コンベア間を広く開放し、乗降性を向上させることができる。
【発明を実施するための最良の形態】
【０００６】
次に、本発明の実施の形態について、図面に基づいて説明する。図１及び図２において、１は乗用田植機（乗用移植機）であって、該乗用田植機１は、走行機体２と、その後部に昇降自在に連結される植付部３とを備えて構成されている。植付部３には、前高後低状に傾斜した苗載台４が設けられ、ここに複数のマット苗が左右並列状に載置される。苗載台４に対するマット苗の補給は、走行機体２上から行われるようになっており、苗載台４の前側上部に載置されたマット苗は、苗載台４の傾斜や縦送り機構５の送り作用によって苗載台４の下端部まで移送される。そして、苗載台４の下端部では、植付機構６による苗の掻取りが行われ、この掻取り苗が圃場に移植される。
【０００７】
走行機体２は、機体フレーム７、エンジン（図示せず）、トランスミッション（図示せず）、フロントアクスルケース８、リヤアクスルケース９、車輪１０などを備えて構成され、機体上部は、機体カバーで覆われている。機体カバーは、ボンネット１１、サイドステップ１２、乗降ステップ１３、メインステップ１４、リヤステップ１５などを形成しており、メインステップ１４の後方には運転席１６が設けられる。また、運転席１６の前方には、ステアリングホイール（ステアリング部）１７などの操作具が配置され、これらの操作具によって走行機体２が走行操作される。
【０００８】
ボンネット１１は、機体前部の左右中央部に設けられ、エンジンの上方を覆っている。サイドステップ１２は、乗降ステップ１３と連続するように、ボンネット１１の左右両側に形成されている。乗降ステップ１３は、機体への乗り降りに際して利用されるもので、メインステップ１４の左右両側に形成されている。また、リヤステップ１５は、苗載台４に苗補給を行う際に利用されるもので、運転席１６の左右両側及び後方に形成されている。
【０００９】
走行機体２には、苗箱１８に収容された予備苗を畔から機体後部に補給するための苗供給コンベア１９と、空になった苗箱１８を機体後部から畔（機体前部）に戻すための苗箱戻し装置２０とが設けられている。苗供給コンベア１９は、走行機体２の一側部または両側部に、側面視で機体前部から機体後部に亘って設けられている。従って、畔から走行機体２に予備苗を補給する際、走行機体２を畔に横付けすることなく、走行機体２の前部を畔に接近させるだけで、畔から機体後部への苗補給が可能になる。以下、苗供給コンベア１９及び苗箱戻し装置２０について詳細に説明する。
【００１０】
苗供給コンベア１９は、梯子状に枠組みされたコンベアフレーム２１に、複数の搬送ローラ２２を並設して構成されている。この苗供給コンベア１９を機体側部に設ける場合は、水平に設置せず、機体後部側が低くなるように傾斜状に設置することが好ましい。このようにすると、苗供給コンベア１９の前側に載せた予備苗が、苗供給コンベア１９上を自動的に転がり、機体後部まで到達する。尚、図面において、２３は苗供給コンベア１９の前端部に設けられる折畳み自在な苗箱載置テーブル、２４は苗供給コンベア１９の後端部に設けられる苗箱ストッパである。
【００１１】
苗供給コンベア１９は、乗降ステップ１３の近傍位置で前後に分割されている。分割された前側分割コンベア１９Ａは、図２に示すように、平面視中央部の支点Ａを中心として左右回動自在に支持され、後側分割コンベア１９Ｂは、図１に示すように、側面視中央部の支点Ｂを中心として上下回動自在に支持されている。これにより、前後の分割コンベア１９Ａ、１９Ｂを互いに離間方向に変位させ、走行機体２の乗降部を広く開放させることが可能になる。尚、本実施形態では、前側分割コンベア１９Ａの後部を機体外方へ回動させ、かつ、後側分割コンベア１９Ｂの前部を上後方へ跳ね上げ式に回動させることにより、乗降部を広く開放させるが、いずれか一方の分割コンベア１９Ａ、１９Ｂを回動させるものであってもよい。また、分割コンベア１９Ａ、１９Ｂの回動方向は、本実施形態に限定されない。
【００１２】
苗供給コンベア１９をこのように構成すると、機体側部に苗供給コンベア１９を設けても、乗降部を広く開放し、良好な乗降性を確保することができる。また、コンベア全体を変位させる場合に比べ、苗供給コンベア１９の支持構造が簡略化されると共に、開放時における苗供給コンベア１９の変位量を小さくし、狭い場所でも苗供給コンベア１９を開放操作することが可能になる。尚、図面において、２５は前側分割コンベア１９Ａの後端部と後側分割コンベア１９Ｂの前端部を分離可能に連結する連結具である。
【００１３】
図３〜図５に示すように、前側分割コンベア１９Ａは、前側支持フレーム２６を介して機体前部に支持されている。前側支持フレーム２６は、サイドステップ１２の外側方に立設される側面視冂字状のメインフレーム２７と、メインフレーム２７の上端部中央位置から外側方に突出するサブフレーム２８とを備えて構成されている。サブフレーム２８は、Ｌ字状に曲げ加工されたパイプ部材からなり、先端部が上下方向を向いている。一方、前側分割コンベア１９Ａの下面中央部には、左右方向を向く連結フレーム２９が設けられている。連結フレーム２９の中央部には、下方に向けて回動支軸３０が突設され、この回動支軸３０をサブフレーム２８の先端部に回動自在に嵌合させることにより、前側分割コンベア１９Ａが回動自在に支持される。
【００１４】
また、回動支軸３０には、下方に突出するピン３１が並設されている。このピン３１は、サブフレーム２８の先端部外周面に設けられる一対のストッパ３２間に位置し、ストッパ３２との係合により前側分割コンベア１９Ａの回動範囲を規制する。尚、回動支軸３０は、サブフレーム２８に抜き差し自在に嵌合されており、サブフレーム２８に対する回動支軸３０の抜き差しによって、前側分割コンベア１９Ａの着脱が可能になる。
【００１５】
図６〜図１１に示すように、後側分割コンベア１９Ｂは、後側支持フレーム３３を介して機体後部に支持されている。後側支持フレーム３３は、リヤステップ１５の外側方に設けられるメインフレーム３４と、メインフレーム３４の上端部中央位置に立設されるサブフレーム３５と、サブフレーム３５の上端部に左右方向を向いて設けられる支持パイプ３６とを備えて構成されている。一方、後側分割コンベア１９Ｂの下面中央部にも、左右方向を向く一対の支持パイプ３７が設けられている。そして、支持パイプ３６及び支持パイプ３７を芯合せし、ここに回動支軸３８を挿通することにより、後側分割コンベア１９Ｂが回動自在に支持される。
【００１６】
また、支持パイプ３７の内側端部には、軸方向に突出する凸部３７ａが形成されている。この凸部３７ａは、支持パイプ３６の左右外端部に形成される凹部３６ａに遊嵌し、凹部３６ａの両側面に係合することにより、後側分割コンベア１９Ｂの回動範囲を規制する。尚、回動支軸３８は、Ｒピンなどの簡易な抜止め具で抜止めされており、回動支軸３８の抜き差しによって、後側分割コンベア１９Ｂの着脱が可能になる。
【００１７】
苗箱戻し装置２０は、機体前部に設けられる苗箱ストック部３９と、該苗箱ストック部３９から後方に延出し、機体後部から戻される苗箱１８を苗箱ストック部３９に導く苗箱案内部４０とを備えて構成されている。つまり、空の苗箱１８を機体前部の苗箱ストック部３９に一旦ストックし、これを畔側の補助作業者が取り出すようにしてある。これにより、苗箱１８が畔に散乱することがないばかりでなく、苗箱戻し装置２０を機体前部にコンパクトに構成することが可能になる。尚、苗箱戻し装置２０は、機体前部の左右いずれか一方または両方に設けることが可能であるが、苗供給コンベア１９を機体の左右いずれか一方に設ける場合は、苗供給コンベア１９と同じ側に苗箱戻し装置２０を設けることが好ましい。このように苗供給コンベア１９と苗箱戻し装置２０を配置すると、予備苗補給位置と苗箱戻し位置が近づき、作業性を向上させることができる。
【００１８】
本実施形態では、苗箱ストック部３９を、ボンネット１１の側方に形成されるサイドステップ１２の上方空間に配置している。本実施形態の苗箱ストック部３９は、前述した前側支持フレーム２６を利用し、その内側に苗箱受け４１を設けて構成される。苗箱受け４１は、内側に傾いた側部４１ａと、側部４１ａと前側支持フレーム２６を連結する底部４１ｂとを備え、苗箱案内部４０から供給される苗箱１８を重合状にストックすると共に、ストックした苗箱１８を機体前方から取り出すことを許容する。
【００１９】
また、苗箱受け４１の後端部には、上後方に延出するステー４２が突設され、その先端側に苗箱案内部４０が設けられる。苗箱案内部４０は、前低後高状に形成される傾斜ガイド板４３と、その左右両側に立設される側部ガイド４４とを備え、後方から左右の側部ガイド４４間に差し込まれた苗箱１８を前方の苗箱ストック部３９に導くように構成される。苗箱案内部４０の位置は、リヤステップ１５に立つ作業者が無理なく苗箱１８を差し込むことができる位置であれば特に制限はない。本実施形態のように、ステアリングホイール１７の側方に苗箱案内部４０を配置すると、苗箱戻し装置２０全体をステアリングホイール１７の前方にコンパクトに構成できるだけでなく、苗箱戻し装置２０によってステアリング操作が阻害される不都合を回避することができる。
【００２０】
叙述の如く構成された乗用田植機１において、走行機体２の側部に、側面視で機体前部から機体後部に亘って苗供給コンベア１９を設けるにあたり、苗供給コンベア１９を、走行機体２における乗降ステップ部１３の近傍位置で分割可能に構成すると共に、分割された前側分割コンベア１９Ａ及び／又は後側分割コンベア１９Ｂを、他方の分割コンベア１９Ａ、１９Ｂに対して離間方向に変位自在としたので、走行機体２の乗降部を開放させることが可能になる。これにより、コンベア全体を変位させる場合に比べ、苗供給コンベア１９の支持構造が簡略化されるだけでなく、開放時における苗供給コンベア１９の変位量が小さくなり、狭い場所でも苗供給コンベア１９の開放操作が可能になる。
【００２１】
また、本実施形態では、前側分割コンベア１９Ａと後側分割コンベア１９Ｂの両方を、互いに離間する方向に回動自在としたので、前側分割コンベア１９Ａ及び後側分割コンベア１９Ｂの回動により、コンベア間を広く開放し、乗降性を更に向上させることができる。
【図面の簡単な説明】
【００２２】
【図１】乗用田植機の側面図である。
【図２】乗用田植機の平面図である。
【図３】前側分割コンベア及び苗箱戻し装置の配置を示す正面図である。
【図４】前側分割コンベアの要部分解正面図である。
【図５】前側分割コンベアのストッパ構造を示す要部平面図である。
【図６】後側分割コンベアの配置を示す背面図である。
【図７】後側分割コンベアの作業姿勢を示す側面図である。
【図８】後側分割コンベアの格納姿勢を示す側面図である。
【図９】後側分割コンベアの背面図である。
【図１０】後側分割コンベアの要部拡大背面図である。
【図１１】（Ａ）及び（Ｂ）は後側分割コンベアのストッパ構造を示す側面図である。
【符号の説明】
【００２３】
１      乗用田植機
２      走行機体
３      植付部
４      苗載台
１３    乗降ステップ
１５    リヤステップ
１６    運転席
１７    ステアリングホイール
１８    苗箱
１９    苗供給コンベア
１９Ａ  前側分割コンベア
１９Ｂ  後側分割コンベア
２０    苗箱戻し装置
３０    回動支軸
３８    回動支軸
３９    苗箱ストック部
４０    苗箱案内部
【図１】
2005073516.tif 000003
【図２】
2005073516.tif 000004
【図３】
2005073516.tif 000005
【図４】
2005073516.tif 000006
【図５】
2005073516.tif 000007
【図６】
2005073516.tif 000008
【図７】
2005073516.tif 000009
【図８】
2005073516.tif 000010
【図９】
2005073516.tif 000011
【図１０】
2005073516.tif 000012
【図１１】
2005073516.tif 000013